(57)【要約】      （修正有）【課題】男性であっても取り扱いが容易であり、且つ塗布時において衣服等を汚す心配がなく、更に、迅速且つ均一に塗布することが可能な化粧料塗布具を提供する。【解決手段】一端部に開口部１１を有し、内部に化粧料１２が充填された収納部１３と、上記開口部を被覆すると共に、上記化粧料を含浸しうるパフ部１４と、上記収納部の外方に配設され、上記収納部及び上記パフ部を振動させる振動発生部１５とを備えた構成とする。【選択図】図１
0003149746.tif 000002
【実用新案登録請求の範囲】
【請求項１】
化粧料を塗布するための化粧料塗布具であって、
一端部に開口部を有し、内部に化粧料が充填された収納部と、
上記開口部を被覆すると共に、上記化粧料を含浸しうるパフ部と、
上記収納部の外方に配設され、上記収納部及び上記パフ部を振動させる振動発生部とを備えることを特徴とする化粧料塗布具。
【請求項２】
上記収納部は略直方体に形成された収納部本体と、上記収納部本体の一端部において上記収納部本体に対して所定角度傾斜して延設されたパフ装着部とからなり、
上記開口部は上記パフ装着部の反収納部本体側に設けられると共に、上記パフ部は所定の厚さ寸法を有する多孔質部材から形成され、
上記振動発生部は上記収納部本体の側面部に着脱可能に取り付けられ、略円筒形に形成されたケース部と、上記ケース部に収納された電池部と上記電池部に接続された駆動部とから形成されていることを特徴とする請求項１記載の化粧料塗布具。
【請求項３】
上記収納部本体の側面部には、上記振動発生部を嵌合しうる溝部が設けられ、
上記溝部の上端縁部には、長さ方向に沿って係合凸部が設けられ、
上記ケース部には長さ方向に沿って上記係合凸部に係止される係止凸部が設けられ、
上記係合凸部に係止凸部が係止されることによって、上記ケース部が本体部に着脱可能に嵌合されることを特徴とする請求項２記載の化粧料塗布具。
【請求項４】
上記収納部本体は手指で変形しうる可撓性を有する合成樹脂素材から形成されていることを特徴とする請求項１乃至３いずれか１項記載の化粧料塗布具。
【請求項５】
上記化粧料は所定色を有する耐水性微粒子を含有するファンデーション液、化粧水とからなると共に、
上記耐水性微粒子はシリコーンオイルによってコーティングされた着色剤粒子によって形成されていることを特徴とする請求項１乃至４いずれか１項記載の化粧料塗布具。
【請求項６】
上記シリコーンオイルはキサンタンガム及びヘクトライトを含有することを特徴とする請求項５記載の化粧料塗布具。
【考案の詳細な説明】
【技術分野】
【０００１】
本考案は、化粧料塗布具に係り、特に化粧に不慣れな男性であっても、取り扱いが容易な振動発生機能を有する化粧料塗布具に関する。
【背景技術】
【０００２】
顔面に化粧を施す場合は、まず顔面の全域に所定色のファンデーションを薄く且つ均一に塗布する必要がある。
上記ファンデーションは粉末状体を圧縮等によって固形状に固めた形態のものが一般的であり、スポンジ状のパフを手で把持し、上記パフに上記ファンデーションを適量塗り付け、上記パフによって顔面に均一に塗り伸ばす方法が一般的である。
顔面上に上記ファンデーションを薄く且つ均一に塗り伸ばすことによって、顔面上のシミ、毛穴等が被覆され、より美しく健康的な肌色に見せることが可能となることから、化粧料としての重要度はきわめて高い。
また、近年においては、面接試験等においても外見重視の傾向がより強くなり、女性は勿論のこと、男性であっても化粧を必要とするケースが増大してきている。
【０００３】
しかしながら、現在においても、男性が化粧をすることに対する忌避感は根強く、男性は人前で化粧をすることを憚る場合が多い。
また、従来のファンデーションは、薄く均一に塗り伸ばすためには熟練が必要であり、普段化粧をする機会が少ない男性とっては取り扱いが難しく、また塗布作業に長時間を要するため、目立たず且つ迅速にファンデーションを塗布したいという男性の要請が満たされているとは言い難い状況であった。
昨今においては、液体タイプのファンデーションも流通しているが、パフで塗り伸ばす場合の時間と手間は固形ファンデーションと大差はない。
また、液体のファンデーションをスプレー容器に封入して噴霧する形式の製品もあるが、噴霧時に回りに飛散して衣服等を汚してしまう虞があった。
【考案の開示】
【考案が解決しようとする課題】
【０００４】
本考案の課題は、男性であっても取り扱いが容易であり、且つ塗布時において衣服等を汚す心配がなく、更に、迅速且つ均一に塗布することが可能な化粧料塗布具を提供することにある。
【課題を解決するための手段】
【０００５】
上記課題を解決するため、請求項１の考案は、化粧料を塗布するための化粧料塗布具であって、一端部に開口部を有し、内部に化粧料が充填された収納部と、上記開口部を被覆すると共に、上記化粧料を含浸しうるパフ部と、上記収納部の外方に配設され、上記収納部及び上記パフ部を振動させる振動発生部とを備えることを特徴とする。
【０００６】
従って、上記パフ部に化粧料を含浸させて顔面上に当て、上記振動発生部によって、上記パフ部を振動させることによって、上記パフ部に含浸された化粧料が顔面上に均一に塗布される。
【０００７】
また、請求項２の考案は、上記収納部は略直方体に形成された収納部本体と、上記収納部本体の一端部において上記収納部本体に対して所定角度傾斜して延設された、パフ装着部とからなり、上記開口部は上記パフ装着部の反収納部本体側に設けられると共に、上記パフ部は所定の厚さ寸法を有する多孔質部材から形成され、上記振動発生部は上記収納部本体の側面部に取り付けられ、略円筒形に形成されたケース部と、上記ケース部に収納された電池部と上記電池部に接続された駆動部とから形成されていることを特徴とする。
【０００８】
パフ装着部が上記収納部本体に対して傾斜していることによって、上記収納部本体を垂直に立てて手で把持した場合に、パフ部を顔面に当て易くなる。
また、電池部を交換することによって上記振動発生部を長期間に亘って動作させることが可能となる。
【０００９】
また、請求項３の考案は、上記収納部本体の側面部には、上記振動発生部を嵌合しうる溝部が設けられ、上記溝部の上端縁部には、長さ方向に沿って係合凸部が設けられ、上記ケース部には長さ方向に沿って上記係合凸部に係止される係止凸部が設けられ、上記係合凸部に係止凸部が係止されることによって、上記ケース部が本体部に着脱可能に嵌合されることを特徴とする。
【００１０】
従って、不使用時においては、上記ケース部を上記収納部本体から取り外すことが可能であり、持ち運び時に、よりコンパクトに収納できる。
また、上記収納部に充填された化粧料が無くなった場合は、上記化粧料が充填された収納部のみを交換するよって、上記振動発生部を繰り返し使用することが可能となる。
【００１１】
また、請求項４の考案は、上記収納部本体は手指で変形しうる可撓性を有する合成樹脂素材から形成されていることを特徴とする。
【００１２】
従って、上記パフ部の内部の化粧料が少なくなった場合は、上記収納部本体を指で変形させて内部の化粧料を上記開口部から押し出すことによって、上記パフ部に上記化粧料を補充することが可能となる。
【００１３】
また、請求項５の考案は、上記化粧料は所定色を有する耐水性微粒子を含有するファンデーション液、化粧水からなると共に、上記耐水性微粒子はシリコーンオイルによってコーティングされた着色剤粒子によって形成されていることを特徴とする。
【００１４】
従って、上記着色剤粒子に直接水分が触れることが無いため、汗や雨水等によって上記着色剤粒子が流れ落ち難い。
【００１５】
また、請求項６の考案は、上記シリコーンオイルはキサンタンガム及びヘクトライトを含有することを特徴とする。
【００１６】
従って、上記キサンタンガム及びヘクトライトが有する性質により、化粧料の粘度が増大し、上記着色微粒子が肌に沈着し易くなる。
【考案の効果】
【００１７】
請求項１の考案にあっては、一端部に開口部を有し、内部に化粧料が充填された収納部と、上記開口部を被覆すると共に、上記化粧料を含浸しうるパフ部と、上記収納部の外方に配設され、上記収納部及び上記パフ部を振動させる振動発生部とを備えることから、上記化粧料が含浸されたパフ部を顔面に当てて、上記振動発生部によって上記パフ部を振動させることで、上記化粧料が顔面に薄く且つ均一に塗布される。
従って、化粧に不慣れな男性であっても取り扱いが容易であり、且つ塗布時において衣服等を汚す心配がなく、更に、迅速且つ均一に塗布することが可能な化粧料塗布具を提供することが可能となる。
【００１８】
また、請求項２の考案にあっては、上記収納部は略直方体に形成された収納部本体と、上記収納部本体の一端部において上記収納部本体に対して所定角度傾斜して延設された、パフ装着部とからなり、上記開口部は上記パフ装着部の反収納部本体側に設けられると共に、上記パフ部は所定の厚さ寸法を有する多孔質部材から形成され、上記振動発生部は上記収納部本体の側面部に取り付けられ、略円筒形に形成されたケース部と、上記ケース部に収納された電池部と上記電池部に接続された駆動部とから形成されていることから、請求項１の効果に加え、パフ部を顔面に当て易く使い勝手が向上する。
更に、電池部を交換することによって上記振動発生部を長期間に亘って動作させることが可能であることから、上記振動発生部を長期間に亘って使用することが可能であり経済的である。
【００１９】
また、請求項３の考案にあっては、上記収納部本体の側面部には、上記振動発生部を嵌合しうる溝部が設けられ、上記溝部の上端縁部には、長さ方向に沿って係合凸部が設けられ、上記ケース部には長さ方向に沿って上記係合凸部に係止される係止凸部が設けられ、上記係合凸部に係止凸部が係止されることによって、上記ケース部が本体部に着脱可能に嵌合されることから、請求項２の効果に加え、不使用時においては、上記ケース部を上記収納部本体から取り外して収納しうることが可能であり、携帯時等の取り扱いがより容易となる。
また、上記収納部と上記振動発生部を独立して交換可能であることから、より使用コストが低い化粧料塗布具を提供することが可能となる。
また、請求項４の考案にあっては、上記収納部本体は手指で変形しうる可撓性を有する合成樹脂素材から形成されていることから、上記パフ部への化粧料の補充操作が行い易く、より取り扱いが容易となる。
【００２０】
また、請求項５の考案にあっては、上記化粧料は所定色を有する耐水性微粒子を含有するファンデーション液、化粧水からなると共に、上記耐水性微粒子はシリコーンオイルによってコーティングされた着色剤粒子によって形成されおり、請求項６の考案にあっては、上記シリコーンオイルはキサンタンガム及びヘクトライトを含有している。
従って、女性と比較して発汗量多い男性に、上記化粧料を塗布した場合であっても、汗の水分によって上記着色剤粒子が落ちにくい。
特に、請求項６の考案にあっては、粘着剤であるキサンタンガム及びヘクトライトの作用によって、より肌に化粧料が沈着され易く、水分等によって落ち難くなる。
【考案を実施するための最良の形態】
【００２１】
以下、化粧料が液体のファンデーションである場合を例に、本考案の実施の形態を、図面を用いて説明する。
図１に示すよう本実施例にかかる化粧料塗布具１０は、一端部に開口部１１を有し、内部に液体ファンデーションである化粧料１２が充填された収納部１３と、上記開口部１１を被覆すると共に、上記化粧料１２を含浸しうるパフ部１４と、上記収納部１３の外方に配設され、上記収納部１３及び上記パフ部１４を振動させる振動発生部１５とを備えている。
また、図１に示すように上記収納部１３は略直方体に形成された収納部本体１６と、上記収納部本体１６の一端部において上記収納部本体１６に対して所定角度傾斜して延設された、パフ装着部１７とからなり、上記開口部１１は上記パフ装着部１７の反収納部本体側１８に設けられると共に、上記パフ部１４は所定の厚さ寸法を有する多孔質部材から形成され、上記振動発生部１５は上記収納部本体１６の側面部２２に着脱可能に取り付けられている。
また、図１に示すように上記振動発生部１５は略円筒形に形成されたケース部１９と、上記ケース部１９に収納された電池部２０と上記電池部２０に接続された駆動部２１とから形成されている。
また、図１に示すように上記収納部本体１６の側面部２２には、上記振動発生部１５を嵌合しうる溝部２３が設けられ、上記溝部２３の上端縁部２４には、長さ方向に沿って係合凸部２５ａ、２５ｂが設けられ、上記ケース部１９には長さ方向に沿って上記係合凸部２５ａ、２５ｂに係合する係止凸部２６ａ、２６ｂが設けられ、図２に示すように上記係合凸部２５ａ、２５ｂに係止凸部２６ａ、２６ｂを係止させることによって、上記ケース部１９が上記収納部本体１６に着脱可能に嵌合される。
また、上記収納部本体１６は手指で変形しうる可撓性を有する合成樹脂素材から形成されている。
また、図３に示すように上記化粧料１２（図３には図示せず）は所定色を有する耐水性微粒子２７を含有するファンデーション液、化粧水とからなり、上記耐水性微粒子２７は粘着剤としてキサンタンガム及びヘクトライトを含有するシリコーンオイル２８によってコーティングされた着色剤粒子２９によって形成されている。
【実施例】
【００２２】
以下に本実施例の構成について図面を用いて詳述する。
図１は本実施例にかかる化粧料塗布具１０の前方側斜視図、後方側斜視図、及び振動発生部１５を、収納部本体１６から取り外した状態の全体斜視図である。
図１に示すように、上記収納部本体１６は手で把持しうる大きさ寸法に形成され、上記パフ装着部１７の上記収納部本体１６に対する傾斜角度は、上記収納部本体１６を垂直に立てた状態で把持した場合に、上記パフ部１４が顔面、例えば頬に対して平行となる角度に形成されている。
また、上記パフ装着部１７の開口部１１側端部１８には、上記パフ部１４を被覆し、上記開口部１１を密閉しうる蓋部３０が螺合する、螺子部３１が設けられている。
図１に示すように、上記振動発生部１５のケース部１９は細長円筒形に形成されている。
上記ケース部１９の内部には乾電池若しくは充電式バッテリー等の電池部２０と上記電池部２０に接続された駆動部２１が収納されている。
上記駆動部２１は、上記電池部２０から供給される電力により回転する軸部３２と上記軸部３２の先端部に取り付けられ、上記軸部３２と共に回転する略半円柱形の回転体３３が配設されている。
また、上記ケース部１９の所定位置には上記駆動部２１を作動又は停止しうるスイッチ部３４が設けられている。
【００２３】
また、図２は本実施例にかかる振動発生部１５を収納部本体１６に取り付けた状態における、図１のＡ−Ａ線の断面図である。
図２に示すように、上記収納部本体１６に上記振動発生部１５を取り付ける場合には、上記収納部本体１６の溝部２３に上記振動発生部１５のケース部１９を外方から指等により押下することによって、上記溝部２３の上端縁部２４の係合凸部２５ａ、２５ｂの内方側に、上記ケース部１９の係止凸部２６ａ、２６ｂを係止させることによって、上記収納部本体１６に上記振動発生部１５が固定される。
【００２４】
また、図３は、本実施例にかかる化粧料１２成分の内、耐水性微粒子２７を含有するファンデーション液の構成を示す概念図である。
図３及び表１に示すように、耐水性微粒子２７は、酸化鉄、酸化チタン等からなる着色剤粒子２９と上記着色剤粒子２９の表面をコーティングするジメチコンからなるシリコーンオイル２８とから形成されている。
上記シリコーンオイル２８には、増粘剤として機能するキサンタンガム及びヘクトライトが配合されている。
また、上記ファンデーション液には、上記耐水性微粒子２７の他に、皮膚コンディショニング剤としてスクワラン、シア油等の油脂成分、アルニカエキス、キュウリエキス、セイヨウキズタエキス、ゼニアオイ／エキス、パリエアリタエキス、アロエベラエキスからなる植物エキス、保湿剤としてブチレングリコール（ＢＧ）、グリセリン、保潤剤としてのコラーゲン、及び肌の老化防止を目的とする皮ふ活性剤としてのコエンザイムＱ１０（表示成分名：ユビキノン）が配合されている。
また、表２に示すように、本実施例にかかる化粧料１２の化粧水には、保湿剤として機能する、グリセリン、ヒアルロン酸Ｎａ、ブチレングリコールからなる多糖類、ワイルドタイムエキス、オタネニンジンエキス、マヨラナ葉エキスからなる植物エキスが配合されている。
【表１】
0003149746.tif 000003
【表２】
0003149746.tif 000004
【００２５】
本実施例にかかる化粧料塗布具１０によって、顔面に化粧料１２を塗布する手順について図面を用いて説明する。
図１に示すように上記収納部本体１６を振る、若しくは指等で変形させることによって、上記収納部１３に充填された化粧料１２を上記開口部１１を介して上記パフ部１４に含浸させた後、上記パフ部１４を顔面に当て、上記スイッチ部３４をＯＮにして、上記駆動部２１により、上記軸部３２と上記回転体３３が回転させる。
上記回転体３３が半円柱形に形成されていることから、上記回転体３３の回転によって上記軸部３２の重心位置が逐次変化するため、上記振動発生部１５が振動し、上記振動は上記収納部本体１６を介して上記パフ部１４に伝達される。
この結果、上記パフ部１４が顔面上で振動し、上記パフ部１４に含浸された化粧料１２が顔面上に染み出すと共に、薄く且つ均一に塗布される。
【００２６】
本実施例に係る化粧料塗布具１０によれば、手で塗り延ばし操作を行う従来の方法と比較して、非常に簡易に且つ迅速に化粧料１２を塗布することが可能となり、化粧に不慣れな男性であっても取り扱いが容易であり、且つ塗布時において衣服等を汚す心配がなく非常に使い勝手の良い化粧料塗布具１０を提供することが可能となる。
また、耐水性微粒子２７を含有していることから、汗をかきやすい男性であっても、塗布した化粧料１２が落ち難い。
【００２７】
なお、本実施例における収納部の形状、振動発生部の構成及び形状、及び溝部の形状は、パフ部に対して適切な振動を与えることが可能である限り、その形状及び大きさを特に限定するものではない。
また化粧料の組成についても、本実施例に示した成分の他、適宜有効成分を追加しても、本実施例に係る作用、及び効果は同様である。
【産業上の利用可能性】
【００２８】
化粧料塗布具に係り、特に化粧に不慣れな男性であっても、取り扱いが容易な振動発生機能を有する化粧料塗布具に関する。
【図面の簡単な説明】
【００２９】
【図１】本考案の一実施の形態を示し、実施例の形態にかかる化粧料塗布具の前方側斜視図、後方側斜視図、及び振動発生部を収納部本体から取り外した状態の全体斜視図である。
【図２】本考案の一実施の形態を示し、実施例の形態にかかる振動発生部を収納部本体に取り付けた状態における、図１のＡ−Ａ線の断面図である。
【図３】本考案の一実施の形態を示し、実施例の形態にかかる化粧料成分の内、耐水性微粒子を含有するファンデーション液の構成を示す概念図である。
【符号の説明】
【００３０】
１０  化粧料塗布具
１１  開口部
１２  化粧料
１３  収納部
１４  パフ部
１５  振動発生部
１６  収納部本体
１７  パフ装着部
１８  パフ装着部の反収納部本体側
１９  ケース部
２０  電池部
２１  駆動部
２２  収納部本体の側面部
２３  溝部
２４  溝部の上端縁部
２５ａ係合凸部
２５ｂ係合凸部
２６ａ係止凸部
２６ｂ係止凸部
２７  耐水性微粒子
２８  シリコーンオイル
２９  着色剤粒子
３０  蓋部
３１  螺子部
３２  軸部
３３  回転体
３４  スイッチ部
【図１】
0003149746.tif 000005
【図２】
0003149746.tif 000006
【図３】
0003149746.tif 000007